(57)【要約】装置（１）には使用許可手段（５）が設けられ、この使用許可手段は、安全機能が考慮されている間に安全機能が所定の特定動作データに対応する場合に装置（１）の使用を可能にするようになっている。上記安全機能は、少なくとも１つのデータ回路（ＤＣ１；ＤＣ２；ＤＣ３；ＤＣ４；ＤＣ５；ＤＣ６）に対応しており、少なくとも１つのデータ回路（ＤＣ１；ＤＣ２；ＤＣ３；ＤＣ４；ＤＣ５；ＤＣ６）の動作を表わしている。
2006506759.tif 000002
【特許請求の範囲】
【請求項１】
ユーザ情報を処理するための装置であって、この装置は使用許可手段と協働するようになっており、前記使用許可手段は第１の安全機能を考慮するようになっており、この第１の安全機能は、データ回路に対応しかつ前記使用許可手段に加えることができかつ動作データによって形成され、前記動作データは、少なくとも１つの所定の経路に沿う少なくとも１つのデータ回路の動作を表わし、前記使用許可手段は、前記動作データが所定の特定動作データに対応している場合に、前記装置の使用を可能にするようになっている、装置。
【請求項２】
前記使用許可手段は、前記第１の安全機能に加えて第２の安全機能を考慮するようになっており、この第２の安全機能は、データ回路に対応するとともに、前記使用許可手段に対して供給可能であり、前記使用許可手段は、前記動作データが前記所定の特定動作データに対応することに加えて前記第２の安全機能が特定安全コード情報に対応している場合に、前記装置の使用を可能にするようになっている、請求項１に記載の装置。
【請求項３】
前記装置は、少なくとも１つのデータ回路と非接触通信を行なうようになっており、前記データ回路側は非接触通信を行なうようになっており、前記装置は、当該装置と前記データ回路との間の非接触通信を使用して、前記第１の安全機能および前記第２の安全機能の両方を前記使用許可手段に対して供給するようになっている、請求項２に記載の装置。
【請求項４】
前記装置がデータ回路を備え、このデータ回路によって前記使用許可手段が実現され、前記データ回路は、非接触通信を行ない且つ前記第１の安全機能を前記データ回路に対して供給するようになっている第１の通信手段を備え、また、前記データ回路は、接触境界通信を行ない且つ前記第２の安全機能を前記データ回路に対して供給するようになっている第２の通信手段を備えている、請求項２に記載の装置。
【請求項５】
前記装置は、少なくとも１つのデータ回路と非接触通信を行なうようになっており、前記データ回路は非接触通信を行なうようになっており、前記装置は前記少なくとも１つのデータ回路によって生成された信号を受信するようになっており、前記使用許可手段は、受信された前記信号を使用して、前記少なくとも１つのデータ回路の動作を検出するようになっている、請求項１に記載の装置。
【請求項６】
前記使用許可手段は、空間の３つの座標およびこれらの３つの座標の経時的変化を考慮しながら、前記少なくとも１つのデータ回路の動作を検出するようになっている、請求項１に記載の装置。
【請求項７】
前記装置は、動作の特定の状態を表わす前記第２の安全機能に対して割り当てられた特定動作データを受信するようになっており、一方前記データ回路が考慮され、当該データ回路に前記第２の安全機能が対応する、請求項２に記載の装置。
【請求項８】
ユーザ情報を処理するための装置の使用を可能にする方法であって、前記装置の使用は、第１の安全機能を考慮する使用許可手段によって可能となり、前記第１の安全機能は、少なくとも１つのデータ回路に対応しかつ前記使用許可手段に加えられかつ動作データによって形成され、前記動作データは、少なくとも１つの所定の経路に沿う前記少なくとも１つのデータ回路の動作を表わし、前記装置の使用は、前記動作データが所定の特定動作データに対応する場合に可能となる方法。
【請求項９】
前記装置の使用を可能にするため、前記第１の安全機能に加えて第２の安全機能が前記使用許可手段により考慮され、前記第２の安全機能は、データ回路に対応するとともに、前記使用許可手段に対して供給され、前記動作データが前記所定の特定動作データに対応することに加えて前記第２の安全機能が特定安全情報に対応している場合に、前記装置の使用が前記使用許可手段によって可能になる、請求項８に記載の方法。
【請求項１０】
第１の安全機能および第２の安全機能が使用され、これらの両方の機能が１つのデータ回路に対応している、請求項９に記載の方法。
【請求項１１】
非接触通信を行なうようになっている前記装置と少なくとも１つのデータ回路との間で非接触通信が行なわれ、前記データ回路は非接触通信を行なうようになっており、非接触通信中に、装置の使用を可能にするために、前記第１の安全機能および前記第２の安全機能の両方が前記使用許可手段に対して供給される、請求項９に記載の方法。
【請求項１２】
装置の使用を可能にするためにデータ回路が使用され、このデータ回路は前記方法を実行するために前記装置内に挿入され、前記データ回路によって前記使用許可手段が実現され、前記データ回路は、非接触通信を行ない且つ前記第１の安全機能を前記データ回路に対して供給するようになっている第１の通信手段を備え、また、前記データ回路は、接触境界通信を行ない且つ前記第２の安全機能を前記データ回路に対して供給するようになっている第２の通信手段を備えている、請求項９に記載の方法。
【請求項１３】
非接触通信を行ない且つ前記装置の通信領域内に挿入されるようになっている少なくとも１つのデータ回路が信号を生成し、この信号が非接触形態で前記装置によって受信され、受信された前記信号を使用することにより前記少なくとも１つのデータ回路の動作が検出される、請求項８に記載の方法。
【請求項１４】
空間の３つの座標およびこれらの３つの座標の経時的変化を考慮することにより、前記少なくとも１つのデータ回路の動作が検出される、請求項８に記載の方法。
【請求項１５】
前記装置は、前記第２の安全機能に対して割り当てられ且つ動作の特定の状態を表わす特定動作データを受信する、請求項８に記載の方法。
【請求項１６】
電気回路を備える装置の使用を可能にするためのデータキャリアであって、前記電気回路が使用許可手段を備え、前記電気回路は、前記データキャリアの第１の通信手段を実現するための構成部品を備え、これらの構成部品は、非接触通信を行なうようになっているとともに、第１の安全機能を前記使用許可手段に対して加えるようになっており、前記第１の安全機能は、少なくとも１つのデータ回路に対応するとともに、動作データによって形成され、前記動作データは、少なくとも１つの経路に沿う少なくとも１つのデータ回路の動作を表わし、前記使用許可手段は、前記第１の安全機能を考慮するようになっているとともに、前記動作データが所定の特定動作データに対応している場合に、使用許可信号を生成するようになっている、データキャリア。
【請求項１７】
前記回路は、前記データキャリアの第２の通信手段を実現するための構成部品を備え、これらの構成部品は、接触境界通信を行なうようになっているとともに、第２の安全機能を前記使用許可手段に対して加えるようになっており、前記第２の安全機能が前記データキャリアに対応し、前記使用許可手段は、前記第１の安全機能に加えて第２の安全機能を考慮するようになっており、前記使用許可手段は、前記動作データが前記所定の特定動作データに対応することに加えて前記第２の安全機能が特定安全情報に対応している場合に、前記装置の使用を可能にするようになっている、請求項１６に記載のデータキャリア。
【請求項１８】
前記回路はアンテナ構造に対して接続可能であり、このアンテナ構造により非接触通信中に少なくとも１つのアンテナ信号が前記回路に対して供給されることができ、前記使用許可手段は、少なくとも１つのアンテナ信号を使用しつつ、前記少なくとも１つのデータ回路の動作を第１の安全機能として考慮するようになっている、請求項１６に記載のデータキャリア。
【請求項１９】
前記使用許可手段が信号処理ステージを備え、この信号処理ステージは、前記少なくとも１つのアンテナ信号を受信するとともに、前記第１の安全機能を表わす少なくとも１つの信号情報項目に対して前記少なくとも１つのアンテナ信号を評価するようになっている、請求項１８に記載のデータキャリア。
【請求項２０】
前記使用許可手段が動作検出ステージを備え、この動作検出ステージは、前記少なくとも１つのアンテナ信号内に含まれ且つ前記第１の安全機能を表わす少なくとも１つの信号情報項目を使用しつつ、前記少なくとも１つのデータ回路の動作を検出するようになっている、請求項１８に記載のデータキャリア。
【請求項２１】
前記使用許可手段が安全機能処理ステージを備え、この安全機能処理ステージは、前記第１の安全機能を形成する動作データを受信するとともに、前記第２の安全機能を表わすデータを受信するようになっており、また、前記動作データが前記特定動作データに対応し且つ前記第２の安全機能を表わす前記データが前記特定安全情報に対応している場合に前記使用許可信号を生成して供給するようになっている、請求項１７に記載のデータキャリア。
【請求項２２】
前記使用許可手段は、前記使用許可信号を前記第２の通信手段に対して供給するようになっている、請求項１７に記載のデータキャリア。
【請求項２３】
装置の使用を可能にするデータキャリアのための回路であって、この回路が使用許可手段を備え、前記回路は、前記データキャリアの第１の通信手段を実現するための構成部品を備え、これらの構成部品は、非接触通信を行なうようになっているとともに、第１の安全機能を前記使用許可手段に対して加えるようになっており、前記第１の安全機能は、少なくとも１つのデータ回路に対応するとともに、動作データによって形成され、前記動作データは、少なくとも１つの経路に沿う前記少なくとも１つのデータ回路の動作を表わし、前記使用許可手段は、前記第１の安全機能を考慮するようになっているとともに、前記動作データが所定の特定動作データに対応している場合に、使用許可信号を生成するようになっている、回路。
【請求項２４】
前記回路は、前記データキャリアの第２の通信手段を実現するための構成部品を備え、これらの構成部品は、接触境界通信を行なうようになっているとともに、第２の安全機能を前記使用許可手段に対して加えるようになっており、前記第２の安全機能が前記データキャリアに対応し、前記使用許可手段は、前記第１の安全機能に加えて前記第２の安全機能を考慮するようになっており、前記使用許可手段は、前記動作データが所定の特定動作データに対応することに加えて前記第２の安全機能が特定安全情報に対応している場合に、前記装置の使用を可能にするようになっている、請求項２３に記載の回路。
【請求項２５】
前記回路はアンテナ構造に対して接続可能であり、このアンテナ構造により非接触通信中に少なくとも１つのアンテナ信号が前記回路に対して供給されることができ、前記使用許可手段は、前記少なくとも１つのアンテナ信号を使用しつつ、前記少なくとも１つのデータ回路の動作を考慮するようになっている、請求項２３に記載の回路。
【請求項２６】
前記使用許可手段が信号処理ステージを備え、この信号処理ステージは、前記少なくとも１つのアンテナ信号を受信するとともに、前記第１の安全機能を表わす少なくとも１つの信号情報項目に対して前記少なくとも１つのアンテナ信号を評価するようになっている、請求項２５に記載の回路。
【請求項２７】
前記使用許可手段が動作検出ステージを備え、この動作検出ステージは、前記少なくとも１つのアンテナ信号内に含まれ且つ前記第１の安全機能を表わす少なくとも１つの信号情報項目を使用しつつ、前記少なくとも１つのデータ回路の動作を検出するようになっている、請求項２５に記載の回路。
【請求項２８】
前記使用許可手段が安全機能処理ステージを備え、この安全機能処理ステージは、前記第１の安全機能を形成する動作データを受信するとともに、前記第２の安全機能を表わすデータを受信するようになっており、前記動作データが前記特定動作データに対応し且つ前記第２の安全機能を表わす前記データが前記特定安全コード情報に対応している場合に前記使用許可信号を生成して供給するようになっている、請求項２４に記載の回路。
【請求項２９】
前記使用許可手段は、前記使用許可信号を前記第２の通信手段に対して供給するようになっている、請求項２４に記載の回路。
【発明の詳細な説明】
【技術分野】
【０００１】
本発明は、ユーザ情報を処理するための装置であって、使用許可手段と協働するようになっており、データ回路に対応する安全機能を考慮して上記使用許可手段が装置の使用を可能にするようになっている装置に関する。
【０００２】
また、本発明は、ユーザ情報を処理するための装置の使用を可能にする方法であって、安全機能を考慮する使用許可手段によって上記装置の使用が可能となり、上記安全機能がデータ回路に対応している方法に関する。
【０００３】
また、本発明は、電気回路を備える装置の使用を可能にするためのデータキャリアであって、上記電気回路が使用許可手段と回路部品とを備え、上記回路部品が上記データキャリアの通信手段を形成し、使用許可手段が設けられるデータ回路に対応する安全機能を上記回路部品が加えるようになっており、安全機能を考慮する使用許可手段が装置の使用を可能にするための使用許可信号を生成するようになっているデータキャリアに関する。
【０００４】
更に、本発明は、装置の使用を可能にするデータキャリアのための回路であって、この回路が使用許可手段と回路部品とを備え、上記回路部品が上記データキャリアの通信手段を形成し、使用許可手段が設けられるデータ回路に対応する安全機能を上記回路部品が加えるようになっており、安全機能を考慮する使用許可手段が装置の使用を可能にするための使用許可信号を生成するようになっている回路に関する。
【背景技術】
【０００５】
第１段落に規定されるタイプのそのような装置、第２段落に規定されるタイプのそのような方法、第３段落に規定されるタイプのそのようなデータキャリア、第４段落に規定されるタイプのそのような回路は、特許文献  国際公開第９７／４５８１４号により周知である。
【０００６】
既知の方法を実行できる既知の装置は、携帯端末によって−この場合、実際には携帯電話によって−実現される。この端末は、いわゆる加入者識別モジュール、略してＳＩＭの形態を成す既知の回路を有するデータキャリアを備えている。この場合、ＳＩＭは携帯電話の使用許可手段を具現化し、ＳＩＭ内に収容される回路がデータ回路を具現化する。携帯電話を使用してビジネス活動を行なうことができるようにするためには、携帯電話のキーパッドを介して携帯電話のユーザにより安全コードを入力しなければならない。この安全コードは、ＳＩＭまたはデータ回路にそれぞれ対応しており、これを用いてユーザが個人的に許可される。携帯電話に入力された安全コードは、ＳＩＭを用いたユーザの認証のために使用されるとともに、携帯電話に対して利用可能にすることができる安全機能を形成する。許可されたユーザのためのビジネス活動を行なう目的での携帯電話の使用は、ＳＩＭの認証の結果として可能とされ或いは解除される。
【０００７】
既知の通信装置においては、安全コードを与えてもその目的しか満たさないという問題が存在する。これは、ユーザが許可された後は、ビジネス活動を行なうために通信装置が無限にアクセス可能であり、そのため、許可されたユーザによる誤った操作によって決定される意図的でないビジネス活動、または、許可されたユーザが十分に注意して警戒していない場合における許可されないユーザによる人を惑わす活動を排除することができないからである。安全コードは、そのような安全コードをユーザが時として思い出すことが難しく、したがって、ユーザが常に利用できるとは限らないという点で、更なる問題を与える。これは、例えばストレスの状況または注意が高まっている状況など、ユーザに特有の状況が存在する場合に特に当てはまる。このような状況は、実質的に、ユーザの多大な集中力を必要とする。そのため、ほぼ常に極めて抽象的な安全コードを入力することが比較的難しくなり、それにより、安全コードを思い出して安全コードを入力するための状況に伴う注意力を低下させる傾向をユーザが更に持っている場合には、比較的頻繁に入力ミスが生じる。この安全コードの個人化との組み合わせにおいては更なる問題が存在する。なぜなら、個人化の試みにより、一般に、簡単に推測できる安全コードが使用される結果となり、したがって、その安全目的を遂行できなくなるからである。
【発明の開示】
【発明が解決しようとする課題】
【０００８】
本発明の目的は、第１段落で言及したタイプの通信装置に伴う前述した問題、第２段落で言及したタイプの方法に伴う前述した問題、第３段落で言及したタイプのデータキャリアに伴う前述した問題、第４段落で言及したタイプの回路に伴う前述した問題を解決し、改良された通信装置、改良された方法、改良されたデータキャリア、改良された回路を提供することである。
【課題を解決するための手段】
【０００９】
前述した目的を達成するため、本発明に係る装置は発明的特徴を有し、これにより、本発明に係る装置は以下に述べるような形態で特徴付けることができる。すなわち、本発明に係る装置は、ユーザ情報を処理するための装置であって、この装置は使用許可手段と協働するようになっており、上記使用許可手段は第１の安全機能を考慮するようになっており、この第１の安全機能は、データ回路に対応しかつ上記使用許可手段に加えることができかつ動作データによって形成され、上記動作データは、少なくとも１つの所定の経路に沿う少なくとも１つのデータ回路の動作を表わし、上記使用許可手段は、上記動作データが所定の特定動作データに対応している場合に、上記装置の使用を可能にするようになっている装置である。
【００１０】
前述した目的を達成するため、本発明に係る方法は発明的特徴を有し、これにより、本発明に係る方法は以下に述べるような形態で特徴付けることができる。すなわち、本発明に係る方法は、ユーザ情報を処理するための装置の使用を可能にする方法であって、上記装置の使用を可能にするため、第１の安全機能が使用許可手段によって考慮され、上記第１の安全機能は、少なくとも１つのデータ回路に対応しかつ上記使用許可手段に加えられかつ動作データによって形成され、上記動作データは、少なくとも１つの所定の経路に沿う少なくとも１つのデータ回路の動作を表わし、上記装置の使用は、上記動作データが所定の特定動作データに対応する場合に可能となる方法である。
【００１１】
前述した目的を達成するため、本発明に係るデータキャリアは本発明に係る以下の特徴を有し、これにより、本発明に係るデータキャリアは以下に述べるような形態で特徴付けることができる。すなわち、本発明に係るデータキャリアは、電気回路を備える装置の使用を可能にするためのデータキャリアであって、上記電気回路は、使用許可手段と、上記データキャリアの第１の通信手段を形成する回路部品とを備え、上記回路部品は、非接触通信を行なうようになっているとともに、第１の安全機能を上記使用許可手段に対して加えるようになっており、上記第１の安全機能は、少なくとも１つのデータ回路に対応するとともに、動作データによって形成され、上記動作データは、少なくとも１つの経路に沿う少なくとも１つのデータ回路の動作を表わし、上記使用許可手段は、上記第１の安全機能を考慮するようになっているとともに、上記動作データが所定の特定動作データに対応している場合に、使用許可信号を生成するようになっているデータキャリアである。
【００１２】
前述した目的を達成するため、本発明に係る回路は本発明に係る以下の特徴を有し、これにより、本発明に係る回路は以下に述べるような形態で特徴付けることができる。すなわち、本発明に係る回路は、装置の使用を可能にするデータキャリアのための回路であって、この回路が使用許可手段を備え、上記回路は、上記データキャリアの第１の通信手段を形成するための回路部品を備え、これらの回路部品は、非接触通信を行なうようになっているとともに、第１の安全機能を上記使用許可手段に対して加えるようになっており、上記第１の安全機能は、少なくとも１つのデータ回路に対応するとともに、動作データによって形成され、上記動作データは、経路に沿う少なくとも１つのデータ回路の動作を表わし、上記使用許可手段は、上記第１の安全機能を考慮するようになっているとともに、上記動作データが所定の特定動作データに対応している場合に、使用許可信号を生成するようになっている回路である。
【００１３】
本発明に係る手段を用いると、ユーザが比較的簡単に気付くことができ且つ特にユーザの個人的特徴に適合する安全機能を何の問題なく使用することができ、これにより、この安全機能の真の個人化をほぼ無限の種類をもって且つ安全機能の安全効果が失われることなくほぼ常に望ましいように実現することができるという利点が得られる。これは、抽象的な記号列に基づく安全機能と全く対照的であり、上記安全機能の試みでは、非常に類似する或いは全く同一の幾らかの記号列を使用する結果となり、そのため、そのような抽象的な安全機能の安全効果が多くの場合に疑問視されなければならなくなる。更なる利点として、動作に基づく安全機能は、比較的容易に気付くことができ、したがって、警戒心および集中力を高める状況であってもこれらに苦しむことなく比較的適切に使用できる点を挙げることができる。なぜなら、安全機能を生じさせる動作自体の生成は、そのような状況においてはユーザ側で実質的に何ら問題を伴うことなく、大きな集中努力を伴わないで、すなわち、直感的に行なうことができるからである。また、異なる動作を使用する結果として、装置において異なる機能を実行することもできるという利点が得られる。この利点は、従来の抽象的な安全コードを用いた場合には一般に得られない。その理由は、複数の安全コードに注意するためユーザから過剰な照会があり、この特徴が使用されないからである。
【００１４】
本発明に係る解決策を用いると、請求項２，９，１７，２４に記載された特徴が更に与えられる場合に特に有利であることが分かった。これにより、動作を表わす第１の安全機能に加えて、装置の使用を可能にするための更なる第２の安全機能、例えば従来技術により知られ且つそれ自体周知の記号列から成る抽象的な安全機能または指紋またはユーザの他の生物的機能特性を使用でき、人の個人的部分に殆どアクセスすることができず或いは全くアクセスすることができなくなるという利点が得られる。これは、例えば装置の使用の階層的な許可が行なわれなければならず、これにより、例えば安全に関して最も大きな要求が存在する各使用レベルを用いて、この使用レベルに達するための第１の安全機能の個人的特徴無しで済ませる必要もなく、第１の安全機能に加えて第２の安全機能を使用することができる場合に特に有利であることが分かった。その結果、許可されていないユーザが第２の安全機能を得る場合には、人を惑わす或いは望ましくない使用がほぼ１００％の確実性をもって排除される。なぜなら、許可されたユーザによって引き起こされる動作がなければ、第２の安全機能は何ら効果がなく、そのため、基本的に、抽象的な記号列を含む安全機能が紙切れに書き留められ、結局のところ間違っていると分かった場合、深刻な安全上の問題は何ら存在しない。また、これにより、任意の時間における望ましくない場所での装置の使用を非常に高い確実性をもって避けることができるという利点が得られる。これは、安全の理由から、また、許可されていない者による望ましくない使用を避ける目的で動作を行なわなければならない場合に特に必要とされる。したがって、従来の安全コードだけが使用される場合における不当な使用に対する保護がかなり高められる。
【００１５】
本発明に係る方法を用いると、請求項１０に記載された特徴が更に与えられる場合に特に有利であることが分かった。これにより、非常に費用効率が高く且つ経済的に有利な方法の実行を装置を用いて行なえるという利点が得られる。また、これにより、２つの安全機能をほぼ同時に考慮することができるという利点が得られる。更に、たった１つのデータ回路によりユーザと２つの安全機能との間で独特の割り当てが与えられるという利点が得られる。
【００１６】
本発明に係る解決策は、請求項３または請求項１１に記載された特徴が更に与えられる場合に特に有利であることが分かった。この場合、装置の外側の電気器具内にデータ回路を収容できるという利点が得られる。その際、第２の安全機能は、例えば外部の電気器具のキーパッドによりデータ回路に加えることができ、また、装置を用いた非接触通信中にデータ回路により装置に対して加えられる。また、同時に、外部の電気器具内に収容されたデータ回路の動作は、外部の電気器具を維持する結果として考慮することができる。
【００１７】
本発明に係る解決策は、請求項４または請求項１２に記載された特徴が更に与えられる場合に特に有利であることが分かった。その結果、例えば携帯電話等の装置のモバイル実施形態を有利に実現できるという利点が得られる。この場合、第１の安全機能は利用可能にされる状態にあり、一方、データ回路の第１の通信手段と非接触通信を行なうようになっている装置に対する上記装置の適切な位置決めシーケンスのため或いは適切な動作中に非接触通信が利用される。
【００１８】
本発明に係る解決策においては、例えば、光学的に生成可能な情報が使用される動作を検出するために使用許可手段が設けられても良い。しかしながら、請求項５または請求項１３に記載された特徴がそれぞれ更に与えられる場合に特に有利であることが分かった。これにより、装置と少なくとも１つのデータ回路との間の通信とほぼ同時に、少なくとも１つのデータ回路または電気器具の許可されていないまたはおそらく人を惑わそうとする動機をもった使用を不可能にする動作を検出できるという利点が得られる。なぜなら、確かに、特定のデータ回路のみによって或いは正確に規定されたデータ回路群によってのみ動作を検出することができるからである。
【００１９】
本発明に係る解決策においては、例えば、場所に対する動作が一次元的に或いは二次元的にキャンセルされ、その結果、直線経路または曲線経路に対応する少なくとも１つの動作あるいは少なくとも１つのデータ回路の位置の変化に対応する動作を検出することができても良い。しかしながら、請求項６または請求項１４に記載された特徴的な機能がそれぞれ更に与えられる場合に特に有利であることが分かった。これにより、少なくとも１つのデータ回路と装置との間の非接触通信を特に用いると、空間の利用可能な３つの座標および各座標の経時的変化または対応する速度あるいは加速度を考慮して動作を検出することができるという利点が得られる。このような利点は、多数の部分的動作および／または位置変化から成る複雑な動作であって複数の動作段階および休止段階を含んでいるかもしれない動作を伴う場合に重要となる。
【００２０】
本発明に係る解決策においては、例えば、特定動作データが装置内に記憶されても良い。しかしながら、請求項７および請求項１５に記載された特徴がそれぞれ与えられる場合に非常に有利であることが分かった。これにより、特定動作データを装置内に局所的に記憶する必要がなくなるが、複数のユーザが装置を非常に効率的に使用できる装置から離れた場所に特定動作データが保存され或いは記憶されるという利点が得られる。
【００２１】
本発明に係るデータキャリアおよび本発明に係るデータキャリア用の回路においては、請求項１８および請求項２５に記載された特徴がそれぞれ更に与えられる場合に有利になることが更に分かった。これにより、非接触通信に伴って生じる動作が第１の安全機能として考慮されるという利点が得られる。
【００２２】
また、本発明に係る解決策においては、請求項１９および請求項２６に記載された特徴がそれぞれ更に与えられる場合に有利であることが分かった。これにより、既にたった１つのアンテナ信号が発生しても、動作を第１の安全機能として利用できるという利点が得られる。
【００２３】
また、本発明に係る解決策においては、請求項２０および請求項２７に記載された特徴がそれぞれ更に与えられる場合に有利であることが分かった。これにより、通信内容に応じた動作検出を行なうことができるという利点が得られる。
【００２４】
また、本発明に係る解決策においては、請求項２１および請求項２８に記載された特徴がそれぞれ更に与えられる場合に有利であることが分かった。これにより、データキャリアまたは回路にそれぞれ加えられた安全機能の有効または無効の決定を、データキャリアまたは回路の環境によって影響される可能性なく行なうことができるという利点が得られる。
【００２５】
また、本発明に係る解決策においては、請求項２２および請求項２９に記載された特徴がそれぞれ更に与えられる場合に有利であることが分かった。これにより、非接触通信によって影響される可能性がない使用許可信号、したがって、安全基準を満たす使用許可信号を生成することができるという利点が得られる。
【００２６】
以上説明した本発明の態様および更なる態様は、以下に説明する例示的な実施形態から明らかであり、これらの例示的な実施形態を参照しながら上記態様について説明する。
【発明を実施するための最良の形態】
【００２７】
以下、図面に示された４つの例示的な実施形態を参照しながら本発明について説明するが、本発明はこれらの実施形態に限定されない。
【００２８】
図１は、装置、すなわち、第１のデータキャリアＤＣ１によって配信可能な信号Ｓを受けるようになっている通信装置１を示している。第１のデータキャリアＤＣ１は、通信装置１の通信領域内に挿入可能であるとともに、非接触通信できるようになっている。このデータキャリアＤＣ１は、図１に示されていないデータ回路を有している。
【００２９】
通信装置１はアンテナ構造２を有している。アンテナ構造２は、第１のアンテナパネル２Ａと、第２のアンテナパネル２Ｂと、第３のアンテナパネル２Ｃとによって形成されている。３つのアンテナパネル２Ａ，２Ｂ，２Ｃのそれぞれは、図１に線で概略的に示される多数のアンテナＡを有している。各アンテナパネル２Ａ，２Ｂ，２Ｃにおいてはそれぞれ、３つの対応するアンテナＡだけに参照符号Ａが付されている。アンテナパネル２Ａ，２Ｂ，２Ｃは、軸Ｘ，Ｙ，Ｚによって規定されるデカルト座標系（直交座標系）の原点で交わっている。第１のアンテナパネルはＸＹ平面と平行に方向付けられている。第２のアンテナパネル２ＢはＹＺ平面と平行に方向付けられている。第３のアンテナパネル２ＣはＸＺ平面と平行に方向付けられている。第１のアンテナパネル２ＡのアンテナＡは、各アンテナＡが基本的にＺ方向に延びる受信突出部を有するような構造を成している。第２のアンテナパネル２ＢのアンテナＡは、各アンテナＡが基本的にＸ方向に延びる受信突出部を有するような構造を成している。第３のアンテナパネル２ＣのアンテナＡは、各アンテナＡが基本的にＹ方向に延びる受信突出部を有するような構造を成している。また、アンテナＡは、隣り合う受信突出部だけが僅かに重なり合うような構造を成している。本ケースでは、第１のアンテナパネル２Ａは２４個のアンテナＡを有し、第２のアンテナパネル２Ｂは２１個のアンテナＡを有し、第３のアンテナパネル２Ｃは１８個のアンテナＡを有している。ここで、注意すべき点は、各アンテナパネル２Ａ，２Ｂ，２Ｃのアンテナ数が他の数であっても良いという点である。その場合、それぞれ選択されたアンテナ数は、アンテナ構造２によって規定される通信領域内での第１のデーダキャリアＤＣ１の位置に関する所要の空間的解決策に対応している。また、アンテナパネル２Ａ，２Ｂ，２Ｃを３つ設ける代わりに、アンテナパネルを２つだけ、例えばアンテナパネル２Ａ，２Ｂだけを設けても良い。この場合、通信領域内での第１のデータキャリアＤＣ１の動作は、座標系の２つの座標によって評価される。そのケースにおいては、第１のデータキャリアＤＣ１の動作を特徴付けるためのデカルト座標がある。また、例えば個々のアンテナパネル２Ａ，２Ｂ，２Ｃが互いに直角に配置されていない他のケースにおいては、動作を特徴付けるために極座標が与えられても良い。
【００３０】
アンテナ構造２は、第１のアンテナ信号Ｓ１と、第２のアンテナ信号Ｓ２と、第３のアンテナ信号Ｓ３とを配信することができる。第１のアンテナ信号Ｓ１は、第１のアンテナパネル２ＡのアンテナＡによって受信可能な信号Ｓの一部に相当し、第２のアンテナ信号Ｓ２は、第２のアンテナパネル２ＢのアンテナＡによって受信可能な信号Ｓの一部に相当し、第３のアンテナ信号Ｓ３は、第３のアンテナパネル２ＣのアンテナＡによって受信可能な信号Ｓの一部に相当する。したがって、第１のアンテナ信号Ｓ１は２４個のサブ信号によって形成され、第２のアンテナ信号Ｓ２は２１個のサブ信号によって形成され、第３のアンテナ信号Ｓ３は１８個のサブ信号によって形成される。
【００３１】
通信装置１は信号処理ステージ３を有している。この信号処理ステージ３は、第１のアンテナ信号Ｓ１と第２のアンテナ信号Ｓ２と第３のアンテナ信号Ｓ３とを受信するとともに、通信装置１に対して通信され且つ３つのグループのアンテナ信号Ｓ１，Ｓ２，Ｓ３によって表わされる信号情報ＳＩを信号Ｓを用いて評価するようになっている。また、信号処理ステージ３は、評価された信号情報ＳＩを供給するようになっている。信号情報ＳＩは、後述するように、通信装置１のユーザまたは第１のデータキャリアＤＣのユーザを許可する役目を果たす。
【００３２】
また、通信装置１は、信号情報ＳＩを処理するために設けられた情報処理手段４を備えている。また、この情報処理手段４は、処理された信号情報ＳＩが受信された後に通信装置１の通信接続部ＣＣに関する安全機能情報ＳＦＩを問い合わせるようになっており、通信装置１の外部にある図１に示されていないデータ処理装置に対する通信を行なうことができる。また、この通信の結果として、情報処理手段４は、データ処理装置から安全機能情報ＳＦＩを受信するようになっている。この安全機能情報ＳＦＩは、特定安全情報を形成し且つ特定動作データＭＩを有する安全コード情報ＳＣＩをもつ。安全コード情報ＳＣＩは、通信装置１のユーザによって利用可能にされることができる安全コードを表わしている。特定動作データＭＩは、通信装置１のユーザによって引き起こされることができる第１のデータキャリアＤＣ１の動作を表わしている。また、情報処理手段４は、安全コード情報ＳＣＩおよび特定動作データＭＩを供給するようになっている。更に、情報処理手段４は、使用許可信号ＥＳを受信するようになっており、この使用許可信号ＥＳの受信の結果として、通信装置１を使用して商取引を行なうことができる。この目的のため、情報処理手段４は、更に、トランザクションパラメータデータＴＰＤを受信するようになっており、信号情報ＳＩおよびトランザクションパラメータデータＴＰＤを使用してトランザクション情報ＴＩを生成し且つこれを通信接続部ＣＣを介して供給するようになっている。なお、トランザクション情報ＴＩはユーザ情報を形成している。
【００３３】
情報処理手段４のための使用許可信号ＥＳを生成するため、通信装置１は使用許可手段５を有している。使用許可手段５は、通信装置１の使用を可能にするようになっており、したがって、ユーザによって入力される安全コードが安全コード情報ＳＣＩに対応している場合、更には、第１のデータキャリアＤＣ１の操作によって引き起こされる第１のデータキャリアＤＣ１の動作が特定動作データＭＩに対応している場合、通信装置１に対して利用可能にされることができる第２の安全機能すなわち通信装置１のユーザによって入力可能な安全コードが第１のデータキャリアＤＣ１に対応している場合、第１のデータキャリアＤＣ１が操作される際に通信装置１のユーザによって引き起こされる第１のデータキャリアＤＣ１の動作を表わす第１の安全機能が第１のデータキャリアＤＣ１またはそのデータ回路に対応する場合に、使用許可信号ＥＳを生成してこれを情報処理手段４に対して供給するようになっている。
【００３４】
したがって、使用許可手段５は、２つの安全機能が第１のデータキャリアＤＣ１またはそのデータ回路に対応する場合に、２つの安全機能を考慮できるようになっている。これについては後述する。
【００３５】
ユーザが手で安全コードを入力できるように、通信装置１は、入力／出力インタフェース７によって実現される第２の安全機能供給ステージ６を備えている。入力／出力インタフェース７は、英数記号を入力するためのキーパッド７Ａと、入力された英数記号を表示し或いは通信装置１のユーザのための指示またはメッセージを表示するためのディスプレイ７Ｂとを有している。また、第２の安全機能供給ステージ６は、ユーザによって入力された安全コードを表わす安全コードデータＳＣＤを供給するようになっている。また、商取引に関連する調整可能なまたは選択可能なトランザクションパラメータがキーパッド７Ａを介して供給されても良い。このパラメータは、トランザクションパラメータデータＴＰＤの形式で、情報処理手段４に対して供給されることができる。
【００３６】
また、通信装置１は第１の安全機能供給ステージ８を有しており、この第１の安全機能供給ステージ８により、第１の安全機能、すなわち第１のデータキャリアＤＣ１またはそのデータ回路の動作を通信装置１に対して供給することができ、あるいは、この機能を装置１に対して利用可能にすることができる。この目的のため、第１の安全機能供給ステージ８は、アンテナ構造２によって実現される動作検出ステージを備えている。また、第１の安全機能供給ステージ８は動作検出ステージ９を備えており、この動作検出ステージ９は、第１のアンテナ信号Ｓ１と第２のアンテナ信号Ｓ２と第３のアンテナ信号Ｓ３とを受信するようになっているとともに、空間の３つの座標Ｘ，Ｙ，Ｚが考慮されるそれぞれの現在の動作と３つの座標Ｘ，Ｙ，Ｚの経時的変化とをアンテナ信号Ｓ１，Ｓ２，Ｓ３に基づいて検出するようになっている。また、動作検出ステージ９は、位置データＰＤと速度データＶＤと加速度データＡＤとを生成して供給するようになっている。位置データＰＤは、通信領域内における座標の原点に対する第１のデータキャリアＤＣ１のそれぞれの瞬間の位置を表わしており、速度データＶＤは、第１のデータキャリアＤＣ１のそれぞれの位置での速度を表わしており、加速度データＡＤは、第１のデータキャリアＤＣ１のそれぞれの位置での加速度を表わしている。データＰＤ，ＶＤ，ＡＤが動作データを生成し、動作データが第１の安全機能を形成する。したがって、動作検出ステージを形成するアンテナ構造２によって支援される使用許可手段５は、第１のデータキャリアＤＣ１から信号Ｓを非接触形態で受信するようになっており、この非接触形態においては、データキャリアＤＣ１を通信装置１の通信領域内に挿入できるとともに動作検出ステージ９によって支援でき、それにより、第１のデータキャリアＤＣ１から受信可能な信号Ｓを利用しつつ、データキャリアＤＣ１またはそのデータ回路の動作を検出することができる。
【００３７】
また、通信装置１は安全機能処理ステージ１０を有しており、この安全機能処理ステージ１０は、安全コードデータＳＣＤを受信するとともに、位置データＰＤと速度データＶＤと加速度データＡＤとを受信するようになっている。また、安全機能処理ステージ１０は、特定安全情報ＳＣＩおよび特定動作データＭＩを受信するようになっている。更に、安全機能処理ステージ１０は、入力された安全コードが安全コード情報ＳＣＩによって表わされる比較コードに対応し即ち特定安全情報に対応し且つデータキャリアＤＣと通信装置１との間の動作が特定動作データＭＩによって表わされる動作の特定の状態に対応する場合には、使用許可信号ＥＳを生成してこれを情報処理手段４に対して供給するようになっている。
【００３８】
以下、図１に示される通信装置１における例示的な実施形態を参照しながら、通信装置１の動作モードについて説明する。この例示的な実施形態においては、通信装置１がデパートの通信サーバに対してその通信接続部ＣＣを介して接続された電子登録キャッシュディスク（電子登録レジ）の一部であるとし、通信サーバ側がインターネットおよび／または電話機回路網を介して銀行またはクレジットカード会社またはデータキャリア管理業者のデータ処理装置と通信できるように接続され、それにより、通信装置１を用いて電子商取引を行なうことができるようになっているものとする。この場合の商取引は、商品に関して現金なしの支払い（カード決済）である。
【００３９】
ユーザが通信装置１の使用を許可されるのかどうかを通信装置１内で定めることができるように、第１のデータキャリアＤＣ１内には、ユーザに対応する安全コード情報ＳＣＩおよび同じユーザに対応するデータキャリア管理業者からの特定動作データＭＩの問い合わせを可能にする情報が記憶されている。
【００４０】
この目的のため、通信装置１は、通信装置１の使用を可能にする方法を実施するようになっている。この場合、第１のデータキャリアＤＣ１はそのデータ回路と共にｘ、この場合はユーザにより、点Ｐ１，Ｐ２，Ｐ３，Ｐ４，Ｐ５，Ｐ６，Ｐ７，Ｐ８に沿って破線で示される移動経路ＴＲに沿って移動されるものとする。ユーザによって選択され且つユーザにのみ知られた移動経路ＴＲは、点Ｐ１〜点Ｐ８の間の真直ぐな接続線に沿って移動する。第１のデータキャリアＤＣ１が通信装置１の通信領域内に挿入されると、３つのアンテナパネル２Ａ，２Ｂ，２Ｃを用いて信号Ｓを受信することができるとともに、この信号Ｓを、第１のアンテナ信号Ｓ１、第２のアンテナ信号Ｓ２、第３のアンテナ信号Ｓ３の形式で、信号処理ステージ３および動作検出ステージ９に対して供給することができる。
【００４１】
この方法において、通信装置１は、第２の安全機能に対応する特定動作データＭ１を受ける。この特定動作データは、データキャリアＤＣの動作の特定の状態を表わしている。この目的のため、データ処理ステージ３においては、先ず最初に、安全コード情報ＳＣＩおよび特定動作データＭＩを問い合わせるための信号Ｓによって通信装置１に対して通信される情報が評価される。この操作中、第１のデータキャリアＤＣ１内に記憶された情報は、信号情報ＳＩの形式で、情報処理手段４に対して供給される。その後、情報処理手段４は、第１のデータキャリアＤＣ１に対して割り当てられたユーザ固有の安全コード情報ＳＣＩおよびデータキャリア管理業者からの特定動作データＭＩを問い合わせる。データキャリア管理業者により通信装置１に対して送られた安全コード情報ＳＣＩおよび特定動作データＭＩは、情報処理ステージ４によって安全機能処理ステージ１０に対して供給される。
【００４２】
この方法において、第１の安全機能および第２の安全機能を有する通信装置１の使用は、第２の安全機能が安全コード情報ＳＣＩに対応し且つ第１の安全機能が動作の特定の状態を表わす特定動作データに対応している場合において可能になる。この場合、２つの安全機能は第１のデータキャリアＤＣ１またはそのデータ回路に対応し、第２の安全機能はユーザによって入力される安全コードを表わし、第１の安全機能は第１のデータキャリアＤＣ１またはその内部に含まれるデータ回路のユーザによって引き起こされる動作を表わしている。
【００４３】
また、この方法においては、通信領域内に挿入される第１のデータキャリアＤＣ１の信号Ｓが非接触形態で受信され、また、通信装置１は、第１のデータキャリアＤＣ１によって引き起こされ且つ通信装置１によって受信される信号Ｓを利用して動作を検出する。
【００４４】
その後、信号処理ステージ３内でのアンテナ信号Ｓ１，Ｓ２，Ｓ３の処理とほぼ同時に、第１のアンテナ信号Ｓ１と第２のアンテナ信号Ｓ２と第３のアンテナ信号Ｓ３とを使用する動作検出ステージ９において動作状態の検出が行なわれる。この時、ユーザにより第１のデータキャリアＤＣ１のために選択された移動経路ＴＲは、基本的に、通信領域内で３次元パターンのジグザグ形状を成している。そのため、点Ｐ１〜ＰＳにおいて方向の変化が存在している。個々の点Ｐ１〜Ｐ８の空間に依存する位置は、第１のアンテナパネル２Ａ上、第２のアンテナパネル２Ｂ上、第３のアンテナパネル２Ｃ上に対するその投影により、図１に示されている。この場合、第１のアンテナパネル２Ａ上に対する投影がクロス（×印）ＸＹ１〜ＸＹ８により示されており、第２のアンテナパネル２Ｂ上に対する投影が正方形ＹＺ１〜ＹＺ８により示されており、また、第３のアンテナパネル２Ｃ上に対する投影がクロス（×印）ＸＺ１〜ＸＺ８により示されている。したがって、点Ｐ１の投影は参照符号ＸＹ１，ＹＺ１，ＸＺ１によって特徴付けられる。また、点Ｐ２の投影は参照符号ＸＹ２，ＹＺ２，ＸＺ２によって特徴付けられる。更に、点Ｐ３の投影は参照符号ＸＹ３，ＹＺ３，ＸＺ３によって特徴付けられる。また、点Ｐ４の投影は参照符号ＸＹ４，ＹＺ４，ＸＺ４によって特徴付けられる。また、点Ｐ５の投影は参照符号ＸＹ５，ＹＺ５，ＸＺ５によって特徴付けられる。また、点Ｐ６の投影は参照符号ＸＹ６，ＹＺ６，ＸＺ６によって特徴付けられる。更に、点Ｐ７の投影は参照符号ＸＹ７，ＹＺ７，ＸＺ７によって特徴付けられる。また、点Ｐ８の投影は参照符号ＸＹ８，ＹＺ８，ＸＺ８によって特徴付けられる。
【００４５】
この方法においては、空間の３つの座標Ｘ，Ｙ，Ｚおよび座標Ｘ，Ｙ，Ｚの経時的変化を考慮してデータキャリアＤＣ１の動作が検出される。この目的のため、アンテナ構造２のアンテナＡによって信号Ｓが受信されると直ぐに、動作検出ステージ９において位置データＰＤが連続的に生成されて供給されるとともに、第１のアンテナ信号Ｓ１および第２のアンテナ信号Ｓ２および第３のアンテナ信号Ｓ３の経時的変化に基づいて速度データＶＤおよび加速度データＡＤが生成されて安全機能評価ステージ１０に対して供給される。このように生成されたデータＰＤ，ＶＤ，ＡＤは、移動経路ＴＲが終了した後すなわち第１のデータキャリアＤＣ１が再び通信領域から外された後、安全機能処理ステージ１０によって連続的に記憶されるとともに、特定動作データＭＩによって表わされる動作の特定の状態と比較される。
【００４６】
その後、安全機能処理ステージ１０において、キーパッド７Ａを用いてユーザにより入力された安全コードが、安全コード情報ＳＣＩによって表わされる比較コードと比較される。通信装置に適用される２つの安全機能すなわちユーザによって入力される安全コードおよびユーザによって引き起こされる動作が安全コード情報ＳＣＩおよび特定動作データＭＩに対応して初めて、安全機能処理ステージ１０によって使用許可信号ＥＳが生成されるとともにこれが情報処理手段４に対して供給される。この時まで、使用者が通信装置１を使用して商取引を実行することができず、商取引のために入力／出力インタフェース７によって入力され或いは選択されたトランザクションパラメータデータＴＰＤは、トランザクション情報ＴＩを介して通信装置１により供給される。
【００４７】
これによって、通信装置１の使用を許可するために、一般に気付くのが難しくしたがって多くの場合ユーザの財布の中の紙切れに書かれる安全コードだけでなく、この通例の安全コードに加えて、ユーザが容易に気付くことができ且つ多くの方法で全く個別に果たすことができるとともにこの一人のユーザにのみ知られた第１のデータキャリアＤＣ１の動作が考慮され、この動作が、許可されていない使用に対する保護を従来の安全コードに比べてかなり高めるという利点が得られる。
【００４８】
以上から分かるように、移動経路ＴＲは、通信領域内での第１のデータキャリアＤＣ１の例えば署名のような動きによって生成できる曲線経路要素を含んでいても良い。
【００４９】
また、複数のデータキャリアが存在し、これらの共通の或いは連続的な動作を通信装置１の第１の安全機能として考慮することができても良いことに注意すべきである。これは、特に、データキャリアが通信装置のユーザのボールペンまたはキーホルダ等の私物品に様々な位置で互いに離れて存在する場合に興味深い。
【００５０】
この場合、データキャリアＤＣ１は、カード社会で使用されるように、いわゆるチップカード（ＩＣカード）によって実現される。
【００５１】
しかしながら、データキャリアＤＣ１は、インテリジェントラベルとして、あるいは、一切れの衣類の一部として、あるいは、一片の宝石類の一部として、または、他の日常生活品の一部として形成されても良いことに注意すべきである。
【００５２】
図２に示される通信装置１は電子キャッシュ端末を形成しており、この電子キャッシュ端末においては、支払い金額を顧客に対して表示することができるキャッシュ端末ディスプレイ１Ａが設けられている。
【００５３】
また、図２は、電話キーパッド１２と電話ディスプレイ１３とデータ回路を有する第２のデータキャリアＤＣ２とを備える携帯電話１１を示している。また、通信装置１には、携帯電話１１を位置決めするための２つの位置決めマーク１Ｃ，１Ｄ間にわたる位置決め範囲をユーザが光学的に認知して目で見ることができるキャッシュ端末載置面１Ｂが設けられている。この位置決め範囲は、円または正方形の形態を成して広がっていても良いことは言うまでもない。
【００５４】
この場合、携帯電話１１内に組み込まれたデータキャリアＤＣ２には、非接触通信を行なうようになっている第１のインタフェースＤＣ２Ａと、誘導的形態で非接触通信を行なうようになっている第２のインタフェースＤＣ２Ｂとが設けられている。データキャリアＤＣ２上では第１のインタフェースＤＣ２Ａによって安全コードデータＳＣＤを受けることができる。この場合、このコードデータは、携帯電話１１のユーザにより電話キーパッド１２を用いて入力することができる。また、データキャリアＤＣ２は図２に示されないエンコーディング手段を有しており、このエンコーディング手段は、人を惑わす策略および取引に対する保護として設けられており、安全コードデータＳＣＤに対応するエンコードされた安全コードデータＳＣＤ’を生成するためのものである。
【００５５】
通信装置１は、データキャリアＤＣ２と非接触通信を行なうようになっており、その目的のため、ここでは１つのループ形状のアンテナＡによって形成されるアンテナ構造２を有している。そして、このアンテナＡにより、アンテナ構造２の通信範囲を規定する電磁場を位置決めマーク１Ｃ，１Ｄ間の領域に形成することができる。
【００５６】
携帯電話１１がキャッシュ端末載置面１Ｂ上に位置決めされ、データキャリアＤＣ２がアンテナＡの近傍の位置決めマーク１Ｃ，１Ｄ間に位置されると、データキャリアＤＣ２の第２のインタフェースＤＣ２Ｂを使用して、データキャリアＤＣ２と通信を行なうことができる。この方法では、通信装置１とデータキャリアＤＣ２またはそのデータ回路との間で通信が行なわれ、通信装置１の使用を許可するための第１の安全機能および第２の安全機能の両方がこの通信装置１に対して与えられ或いは利用可能とされる。これについては以下で詳細に説明する。
【００５７】
通信中、信号Ｓだけでなく、信号情報ＳＩの構成要素およびエンコードされた安全コードデータＳＣＤ’も通信装置１に対して通信することができる。通信装置１内においては、アンテナ信号Ｓ１をアンテナＡによって供給することができる。この場合、信号処理ステージ３は、信号情報ＳＩを供給するだけでなく、エンコードされた安全コードデータＳＣＤ’を評価してこれを情報処理手段４に対して供給するために使用される。この場合、情報処理手段４は、更に、エンコードされた安全コードデータＳＣＤ’を安全機能処理ステージ１０に対して供給するために設けられている。
【００５８】
動作検出ステージ９は、アンテナ信号Ｓ１を受信するとともに、位置データＰＤを生成するようになっている。この場合、位置データＰＤは、アンテナ信号Ｓ１が受信可能になると動作によってデータキャリアＤＣ２が通信領域内に挿入されるという点で、データキャリアＤＣ２の動作を示している。その結果、動作の特定の状態は、データキャリアＤＣとの非接触通信を実現できるという事実によって与えられる。したがって、通信装置１は、第１の安全機能および第２の安全機能の両方を使用許可手段５に対して与え或いは使用許可手段５に対して利用可能にするようになっており、通信装置１とデータキャリアＤＣとの間で非接触通信が使用される。この場合、第１の安全機能供給ステージ６は、アンテナ構造２と、信号処理ステージ３と、情報処理手段４とによって形成される。なお、第１の安全機能供給ステージ６は、アンテナ構造２および信号処理ステージ３によって形成されても良い。ただし、この場合、信号処理手段３は、エンコードされた安全コードデータＳＣＤ’を安全機能処理ステージ１０に対して供給するようになっている。図２には、これが信号処理ステージ３と安全機能処理ステージ１０との間に破線で示されている。
【００５９】
また、キャッシュ端末載置面１Ｂをキャッシュ端末１の携帯電話クレードル（揺りかご）内に配置することもでき、それにより、ユーザによる携帯電話１１の位置決めが容易になることは言うまでもない。更に、携帯電話１１を位置決めするために、少なくとも１つのストリップ状の部材をキャッシュ端末載置面１Ｂ上に設けることもできる。
【００６０】
また、動作検出ステージ９は、キーパッド１２の最初のタッチから電話キーパッド１２の最後のタッチまでの間、携帯電話１１が通信領域内に位置決めされているかどうかに関して監視するようになっていても良い。更に、例えば通信領域内に居る所定の時間を監視することができる時間測定手段を動作検出ステージ９が有していても良いことは言うまでもない。
【００６１】
また、動作検出ステージ９は、通信領域内に第２のデータキャリアＤＣ２が居るか居ないかによって特徴付けられる一連の動作を検出するようになっていても良く、一方、一連の動作の一部において様々な時間基準が重要であっても良い。結果として、例えば、安全コードが第２の安全機能の導入として電話キーパッド１２によりうまく入力された後、携帯電話を非常に急速に３回通信領域から取り除いて通信領域内に戻さなければならない用途を実現することができる。
【００６２】
更に、アンテナ構造２が複数のアンテナを有していても良く、また、個々のアンテナとの非接触通信のための第２のデータキャリアＤＣ２の一連のアクセスによって動作の特定の状態が規定されても良く、また、動作検出ステージ９が連続的に生じるアンテナ信号を処理するようになっていても良いことは言うまでもない。
【００６３】
図３に示される通信装置１は２つのアンテナＡ，Ａ’を有しており、これらのアンテナは、そのキャッシュ端末載置面１Ｂの近傍で互いに離間して位置されている。第１のアンテナ信号Ｓ１は第１のアンテナＡから受けることができるとともに、第２のアンテナ信号Ｓ２は第２のアンテナＡ’から受けることができる。図３に示される携帯電話１１は、図２に示される第２のデータキャリアＤＣ２に類似する構造を有する第３のデータキャリアＤＣ３に加えて、第４のデータキャリアＤＣ４を有している。第３のデータキャリアＤＣ３に類似するこの第４のデータキャリアＤＣ４は、非接触通信を行なえるように形成されており、そのため、第３のインタフェースＤＣ４Ｂを有するとともにデータ回路を備えている。この場合、第３のデータキャリアＤＣ３にはその動作のための電気エネルギを第１のインタフェースＤＣ３Ａを介して供給することができる。第４のデータキャリアＤＣ４には、第３のインタフェースＤＣ４Ｂを用いて、アンテナ構造２と第３のインタフェースＤＣ４Ｂの電磁ループ（図３には図示せず）との間の電磁結合を介して電気エネルギを供給することができる。この場合、２つのデータキャリアＤＣ３，ＤＣ４の動作の特定の状態は、携帯電話１１がキャッシュ端末載置面１Ｂ上に位置決めされることにより第３のデータキャリアＤＣ３の位置がアンテナＡに対応し且つ第４のデータキャリアＤＣ４の位置がアンテナＡ’に対応するという点で与えられる。この位置において、２つのデータキャリアＤＣ３，ＤＣ４またはこれらのデータ回路との同時通信を行なうことができる。この場合、第１のアンテナＡによって信号Ｓを受信することができるとともに、信号Ｓを表わす第１のアンテナ信号Ｓ１を第１のアンテナＡによって供給することができる。また、第３のデータキャリアＤＣ３によって引き起こされても良い信号Ｓ’を第２のアンテナＡ’によって受信することができるとともに、信号Ｓ’を表わす第２のアンテナ信号Ｓ２を第２のアンテナＡ’により動作検出ステージ９に対して供給することができる。動作検出ステージ９は、２つのアンテナ信号Ｓ１，Ｓ２の出現を検出して評価するようになっている。
【００６４】
また、このケースにおいて、２つのデータキャリアＤＣ３，ＤＣ４の動作の特定の状態は、静的な状態として規定されても良く、また、アンテナＡ，Ａ’の通信領域内に存在している状態と存在していない状態との間での交互の状態変化として規定されても良いことは言うまでもない。この交互の状態変化は、携帯電話１１を適切に操作することによりユーザによって発生させられることができる。
【００６５】
図４に示される通信装置１は携帯電話を具現化している。通信装置１はその通信接続部ＣＣに対して接続された電話アンテナ１５を備えており、通信接続部ＣＣによりトランザクション情報ＴＩを通信することができる。また、通信装置１は第５のデータキャリアＤＣ５を備えており、この第５のデータキャリアＤＣ５は、データ回路を備えるとともに、デュアルインタフェースデータキャリアとして形成されている。また、第５のデータキャリアＤＣ５は第２の通信手段１６を備えており、この第２の通信手段１６は、接触境界通信（ｃｏｎｔａｃｔ  ｂｏｕｎｄ  ｃｏｍｍｕｎｉｃａｔｉｏｎ）を行なうようになっているとともに、第２の安全機能を利用できるようになっており、様々な接触領域１７を備えている。これらの接触領域１７により、第５のデータキャリアＤＣ５は、通信装置１の図４に示されない対応する接触領域と接触することができる。安全コードデータＳＣＤは、キーパッド７Ａから第２の通信手段１６を介して第５のデータキャリアＤＣ５に供給することができる。したがって、第２の通信手段１６が通信装置１の第２の安全機能供給ステージ６を形成するとともに、第２の安全機能が第５のデータキャリアＤＣ５またはそのデータ回路に対応する。
【００６６】
また、第５のデータキャリアＤＣ５は第１の通信手段１８を備えている。この第１の通信手段１８は、非接触通信を行なうようになっているとともに、第１の安全機能を利用可能にするべく設けられており、これにより、第１の安全機能供給ステージ８を形成している。これについては更に後述する。
【００６７】
また、第５のデータキャリアＤＣ５は、そのデータ回路を形成する第１の電気回路１９を備えている。第１の電気回路１９は、第２の通信手段１６および第１の通信手段１８を実現するための回路部品を備えており、これらの回路部品は、各通信中に生じる電気信号を生成して供給し或いは受信して処理するようになっている。また、通信装置１は、回路１９が接続され且つこの場合は第３のアンテナＡ１を有するアンテナ構造２を備えている。第３のアンテナＡ１は第１の通信手段１８の一部を形成している。
【００６８】
この場合、使用許可手段５は第５のデータキャリアＤＣ５またはそのデータ回路によって実現され、これにより、この方法においては、通信装置１の使用が第５のデータキャリアＤＣ５またはそのデータ回路によって可能になる。
【００６９】
また、通信装置１は第６のデータキャリアＤＣ６を有しており、この第６のデータキャリアＤＣ６は、非接触通信を行なうようになっている第４のインタフェース２０を有するとともに、そのデータ回路を形成する電気回路２１を有している。第４のインタフェース２０は回路２１に接続された第４のアンテナＣを有しており、この第４のアンテナＣにより非接触通信を行なうことができる。第６のデータキャリアＤＣ６は、第５のデータキャリアＤＣ５から所定の距離だけ離間して通信装置１内に組み込まれている。この場合、第１の安全機能は、２つのデータキャリアＤＣ５，ＤＣ６およびそれらのデータ回路にそれぞれ対応するとともに、２つのデータキャリアＤＣ５、ＤＣ６の動作を表わしている。
【００７０】
このケースにおいて、２つのアンテナＡ１，Ｃは、対応するデータキャリアＤＣ５，ＤＣ６の内部に設けられている。ここで、データキャリアＤＣ５，ＤＣ６は、チップカードとして設けられるとともに、各アンテナＡ１，Ｃに必要な空間を利用可能にしており、これにより、通信装置１内における２つのアンテナＡ１，Ｃの位置が通信装置１内におけるそれぞれのデータキャリアＤＣ５，ＤＣ６の位置にほぼ対応するようになっている。データキャリアＤＣ５は、通信装置１内に挿入することができるとともに、通信装置１から取り外すことができる。しかしながら、アンテナＡ１，Ｃはそれぞれ、データキャリアＤＣ５，ＤＣ６のそれぞれの位置とは無関係に収容されていても良いことは言うまでもない。このような場合、２つのデータキャリアＤＣ５，ＤＣ６は、各データキャリアＤＣ５，ＤＣ６と、対応する各アンテナＡ１，Ｃとの間の接続を可能にする接続手段を有していなければならない。これは、特に、データキャリアＤＣ５，ＤＣ６が通信装置内で不可分に一体化される場合、あるいは、データキャリアＤＣ５，ＤＣ６が比較的小さなモジュールの形態で存在する場合、また、アンテナＡ１，Ｃが通信装置１のハウジングの一部に設けられている場合に有利である。これは、特に、アンテナＡ１，Ｃとしてコイルが設けられ、これらのコイルが非接触通信を行なえるように特定の最小表面を覆わなければならない場合に必要である。以上から分かるように、アンテナ構造２のアンテナは、一極アンテナまたは多極アンテナによって形成することもできる。なお、データキャリアＤＣ５，ＤＣ６の代わりに、それらのデータ回路だけが設けられていても良いことは言うまでもない。この場合、これらのデータ回路には、対応する通信手段が設けられていなければならない。データ回路は、例えば携帯電話のエレクトロニクスの一部として設けられていても良いが、これらのエレクトロニクスとは無関係に設けられていても良い。
【００７１】
図４は、端末信号処理ステージ２３と端末アンテナ構造２４とを有する電子キャッシュ端末２２の一部を更に示している。端末アンテナ構造２４は、第５のアンテナＢと第６のアンテナＢ’とを備えている。各アンテナＢ，Ｂ’は、反対側に設置可能な対応するアンテナと協働するようになっている。端末信号処理ステージ２３は、アンテナＢ，Ｂ’に接続されるとともに、アンテナＢ，Ｂ’を使用することにより、対応するアンテナＢ，Ｂ’の比較的小さな通信領域内でその影響をその近傍に対して及ぼす各高周波励起信号を生成して供給するようになっている。通信装置１を適切に操作することにより２つのデータキャリアＤＣ５，ＤＣ６が対応するアンテナＢ，Ｂ’に対して割り当てられた通信領域内に挿入されると直ぐに、上記励起信号により、２つのデータキャリアＤＣ５，ＤＣ６に対して電気エネルギを供給することができる。
【００７２】
この場合、２つのデータキャリアＤＣ５，ＤＣ６またはこれらのデータ回路の動作の特定の状態は、第５のデータキャリアＤＣ５または第３のアンテナＡ１がそれぞれ第５のアンテナＢと対向して位置され且つ第６のデータキャリアＤＣ６または第４のアンテナＣが第６のアンテナＢ’と対向して位置されるように規定される。この特定の状態においては、各励起信号の変調により、第１の信号情報ＳＩ１を表わす信号Ｓを第５のデータキャリアＤＣ５から通信することができるとともに、更に、第２の信号情報ＳＩ２を表わす信号Ｓ’を第６のデータキャリアＤＣ６から端末アンテナ構造２４に対して通信することができ、その後、信号Ｓ’を端末信号処理ステージ２３へと通信することができる。
【００７３】
端末信号処理ステージ２３は２つの信号情報信号ＳＩ１，ＳＩ２を処理するようになっている。また、端末信号処理ステージ２３は、第１の信号情報ＳＩ１を受信できると直ぐに、励起信号の変調により、その利用可能なトランザクションデータＴＰＤを第５のデータキャリアＤＣ５に対して非接触通信するようになっている。同様にして、端末信号処理ステージ２３に存在する信号情報ＳＩ１またはＳＩ２も、第５のデータキャリアＤＣ５に対して通信することができる。
【００７４】
このケースにおいて、使用許可手段５は、アンテナ信号Ｓ１が使用される間、キャッシュ端末２２に対する携帯電話の動作を考慮するようになっている。これについては更に後述する。
【００７５】
変調された励起信号は、第５のデータキャリアＤＣ５からアンテナＡ１によって受信することができる。信号処理ステージ３は、アンテナＡ１によって供給可能なアンテナ信号Ｓ１を受信するとともに、２つの信号情報項目ＳＩ１，ＳＩ２に対してアンテナ信号Ｓ１を評価するようになっている。信号処理ステージ３により、アンテナ信号Ｓ１を各信号情報項目ＳＩ１，ＳＩ２に変換することができ、また、場合によっては、アンテナ信号Ｓ１をトランザクションデータＴＰＤに変換することができる。この場合、動作検出ステージ９は、信号処理ステージ３の下流側に接続されており、アンテナ信号Ｓ１によって表わされる信号情報ＳＩ１，ＳＩ２が使用される間に動作を検出するようになっている。この目的のため、動作検出ステージ９は、第１の信号情報ＳＩ１および第２の信号情報ＳＩ２が同期して発生するかどうかを検出することができる。したがって、動作検出ステージ９によって供給できる位置データＰＤは、両方の信号情報ＳＩ１，ＳＩ２の経時的な出現を表わしている。また、更なるチェックのために、安全機能処理ステージ１０において第２の信号情報ＳＩ２を利用可能にすることができる。
【００７６】
安全機能処理ステージ１０は、第１の安全機能を表わす安全コードデータＳＣＤを受信するとともに、第２の安全機能を表わす位置データＰＤを受信するようになっており、また、安全コードデータＳＣＤが安全コード情報ＳＣＩに対応し且つ位置データＰＤが特定動作データＭＩに対応する場合には使用許可信号ＥＳを生成して供給するようになっている。
【００７７】
このケースにおいて、安全機能処理ステージ１０は、第２の信号情報ＳＩ２が実際に第６のデータキャリアＤＣ６によって生成されたかどうかをチェックするようになっている。信号情報ＳＩ２をチェックするために必要なチェック情報ＣＩは、記憶手段２５により第５のデータキャリアＤＣ５内に記憶されている。また、記憶手段２５は、安全コード情報ＳＣＩおよび特定動作データＭＩを記憶することができ、これらの安全コード情報および特定動作データは、この場合、２つのデータキャリアＤＣ５，ＤＣ６の動作の特定の状態としての２つの信号情報ＳＩ１，ＳＩ２の同時発生を表わしている。このことは、２つの信号情報ＳＩ１，ＳＩ２が同時に発生し且つ第２の信号情報項目ＳＩ２が実際に第６のデータキャリアＤＣ６から送られてきた場合に第５のデータキャリアＤＣ５が第５のアンテナＢと対向して位置され且つ第６のデータキャリアＤＣ６が第６のアンテナＢ’と対向して位置されることを意味している。
【００７８】
また、図１に関して説明したように、通信接続部ＣＣを介して２つの情報信号ＳＣＩ，ＭＩを通信装置１に対して加えることもできることは言うまでもない。
【００７９】
安全機能処理手段１０によって生成可能な使用許可信号ＥＳを第２の通信手段１６へ供給することができ、第２の通信手段１６により使用許可信号ＥＳを接触境界（ｃｏｎｔａｃｔ−ｂｏｕｎｄ）形態で情報処理手段４に対して通信することができ、その後、情報処理手段４は、トランザクションパラメータデータＴＰＤをトランザクション情報ＴＩの構成部分として処理することができる。このトランザクションパラメータデータＴＰＤは第１の通信手段１６を介して受信することができ、また、通信装置１はトランザクション情報ＴＩを供給することができる。
【００８０】
また、手近な場合、２つのデータキャリアＤＣ５，ＤＣ６の動作の特定の状態は、２つのアンテナＢ，Ｂ’の位置に対するデータキャリアＤＣ５，ＤＣ６の一方または２つのデータキャリアＤＣ５，ＤＣ６の経時的な存在または不存在のシーケンスによって与えられても良いことは言うまでもない。
【００８１】
また、動作検出ステージ９は、アンテナ信号Ｓ１を受信するとともに、アンテナ信号Ｓ１の信号強度を評価するようになっていても良く、その結果、信号強度の経時的変化中に動作の状態についての結果が引き出されても良いことは言うまでもない。また、これに関し、手近な場合には、動作検出ステージ９は、位置データＰＤ以外に速度データＶＤおよび／または加速度データＡＤを生成するようになっていても良いことは言うまでもない。
【００８２】
図４を参照すれば分かるように、２つのデータキャリアＤＣ５，ＤＣ６内では信号Ｓ，Ｓ’が使用され、端末アンテナ構造２４および端末信号処理ステージ２３は互いに通信するようになっていても良く、一方、動作検出ステージ９は、そのような通信を使用または評価して２つのデータキャリアＤＣ５，ＤＣ６の動作を検出するようになっていても良い。これに関し、安全機能情報ＳＦＩは、例えば第６のデータキャリアＤＣ６内に記憶されても良く、また、そのような通信中に第５のデータキャリアＤＣ５にアクセス可能にされても良く或いは第５のデータキャリアＤＣ５に対して利用可能にされても良いことは言うまでもない。
【００８３】
また、第２の通信手段１８が複数のアンテナＡ１，Ａ２，Ａ３を備えていても良く、また、信号処理手段３は、図４に破線で示されるように、アンテナＡ１，Ａ２，Ａ３の対応する１つに対して割り当てられたアンテナ信号Ｓ１，Ｓ２，Ｓ３を処理するようになっていても良いことは言うまでもない。そのようなアンテナ構造２は、例えば、各アンテナＡ１，Ａ２，Ａ３によって利用可能にされた情報の情報内容によって或いは個々のアンテナＡ１，Ａ２，Ａ３の幾つかの或いは全てのアンテナ信号Ｓ１，Ｓ２，Ｓ３の存在または不存在によって第５のデータキャリアＤＣ５の動作の特定の状態が規定される場合に興味深いかもしれない。このような場合、第５のデータキャリアＤＣ５が信号処理ステージ３に加えて動作検出ステージ９を有し、図４に破線で示されるように、動作検出ステージ９に対して直接に各アンテナ信号Ｓ１，Ｓ２，Ｓ３を供給することができるとともに、動作検出ステージ９がアンテナ信号Ｓ１，Ｓ２，Ｓ３を直接に評価するようになっていると、特に有利であることが分かった。
【００８４】
なお、通信装置１が第５のデータキャリアＤＣ５のみを備えていても良く、第６のデータキャリアＤＣ６が省かれても良い。これは、アンテナ構造２が相互に離間して配置された複数のアンテナ、例えばアンテナＡ１，Ａ２，Ａ３を有し、通信装置１が通信手段１８に加えて第２の通信手段１８に対して割り当てられたアンテナを有している場合に特に有利である。
【００８５】
なお、非接触通信のために設けられたデータキャリアは、容量性（ｃａｐａｃｉｔｉｖｅ）形態で非接触通信を行なうようになっていても良い。
【００８６】
前述した実施形態において通信装置１の使用の許可に関連する全てが通信装置１によって供給されるトランザクション情報ＴＩに対して特定されていた場合であっても、通信装置１の使用の許可に関し、ユーザ情報は、通信装置１によって受信可能で且つ特に第１の安全機能および第２の安全機能による通信装置１の許可されたユーザとして自分を名乗るユーザに対して特にアクセス可能な受信情報の形態を成していても良いことは言うまでもない。また、これに関し、装置がラップトップまたはいわゆる携帯端末によって形成され、それを使用することにより、使用許可手段５によるユーザ情報の処理が可能となっても良いことは言うまでもない。
【００８７】
また、以上から分かるように、装置が携帯電話（したがって通信装置）といわゆる携帯端末との組み合わせを備えていても良く、また、そのような組み合わせ装置の内部または外部にあっても良い１または複数のデータ回路の異なる動作により、組み合わせ装置の異なる機能をユーザが使用できるようになっていても良い。
【００８８】
また、第２の安全機能を例えば指紋のような生物学的特徴によって表わすことができることは言うまでもない。
【００８９】
非接触通信を伴う場合の励起信号変調に関しては、これが励起信号の振幅変調であることを明らかにしておく。特に、第５のデータキャリアＤＣ５によって行なうことができる変調は、励起信号の負荷変調によって発生させることができることを指摘しておく。しかしながら、反射変調があっても良いことは言うまでもない。また、励起信号の変調が位相変調または周波数変調であっても良いことは言うまでもない。
【００９０】
また、第１の安全コード自体が装置を有効にするために与えられても良いことは言うまでもない。
【００９１】
また、例えば人体内のインプラントとして或いはデータ回路が不可分に接続された電気器具の電気回路部品として、データキャリアまたはそのハウジングとは無関係に、それ自体が比較的小さな集積回路の形態を成すデータ回路も使用できることは言うまでもない。また、これに関しては、集積回路またはディスクリート回路の形態を成すデータ回路が装置の使用許可手段を形成していても良いことは言うまでもない。
【００９２】
また、方法が実施される十分前に、あるいは、方法が実施されると直ぐに、データ回路または装置内のデータ回路を備えるデータキャリアを使用できることは言うまでもない。
【図面の簡単な説明】
【００９３】
【図１】本発明の第１の例示的実施形態に係る通信装置をブロック図の形態で概略的に示している。
【図２】本発明の第２の例示的実施形態に係る通信装置を図１と同様の形態で示している。
【図３】本発明の第３の例示的実施形態に係る通信装置を図１と同様の形態で示している。
【図４】本発明の第４の例示的実施形態に係る通信装置を図１と同様の形態で示している。
【図１】
2006506759.tif 000003
【図２】
2006506759.tif 000004
【図３】
2006506759.tif 000005
【図４】
2006506759.tif 000006
【国際調査報告】
2006506759.tif 000007
2006506759.tif 000008
2006506759.tif 000009